(57)【要約】【課題】廃棄物の最終処分場における遮水性の信頼性を高める。【解決手段】盆地形状の地形の凹面部分に遮水シートを敷き詰め、この遮水シートの上に廃棄物を埋立処分する廃棄物処分場の遮水方法において、遮水シートを二重に敷き詰め、二重に敷き詰めた遮水シートの周縁を合体させて遮水シートの間を密封し、密封された遮水シートの間に清水を注入し、この清水の水位を凹面部分に溜まる浸出水の水位より高位置に維持して清水の水圧によって浸出水が遮水シートで覆われた凹面部分の外部に漏れ出すことを阻止する。【選択図】  図１
2004195422.tif 000002
【特許請求の範囲】
【請求項１】
盆地形状の地形の凹面部分に遮水シートを敷き詰め、この遮水シートの上に廃棄物を埋立処分する廃棄物処分場の遮水方法において、
上記遮水シートを二重に敷き詰め、二重に敷き詰めた遮水シートの周縁を合体させて遮水シートの間を密封し、密封された遮水シートの間に清水を注入し、この清水の水位を上記凹面部分に溜まる浸出水の水位より高位置に維持して清水の水圧によって浸出水が上記遮水シートで覆われた凹面部分の外部に漏れ出すことを阻止する廃棄物処分場における遮水方法。
【請求項２】
Ａ．盆地形状の地形の凹面部分を覆う第１遮水シートと、
Ｂ．この第１遮水シートの上面に敷き詰めた透水性部材と、
Ｃ．この透水性部材の上面を覆い周縁部において上記第１遮水シートと連結されて上記第１遮水シートとの間を密封する第２遮水シートと、
Ｄ．上記第１遮水シートと第２シートとの間に上記凹面部分に溜まる浸出水の水圧より高い水圧の清水を注入する清水注入手段と、
によって構成したことを特徴とする廃棄物処分場における遮水装置。
【請求項３】
請求項２記載の廃棄物処分場における遮水装置において、上記清水注入手段は上記第１遮水シートと第２遮水シートの間の密封部分に連通し、ほぼ鉛直な姿勢に設置された管で構成され、この管の内部に清水を注入し、清水の水位を凹面部分に溜まる浸出水の水位より上位に維持することを特徴とする廃棄物処分場における遮水装置。
【請求項４】
請求項３記載の廃棄物処分場における遮水装置において、上記清水注入手段を構成する管に水位監視装置を設け、この水位監視装置により上記管の内部の清水の水位を監視することを特徴とする廃棄物処分場における遮水装置。
【請求項５】
請求項２乃至４記載の廃棄物処分場における遮水装置の何れかにおいて、上記透水性部材は砂利又は砂で構成することを特徴とする廃棄物処分場における遮水装置。
【発明の詳細な説明】
【０００１】
【発明の属する技術分野】
この発明は、廃棄物の最終処分場のような埋立地から浸出水（雨水が廃棄物と接触して生じる水）が周辺地盤の中に浸透することを阻止する廃棄物処分場における遮水方法及び遮水装置に関する。
【０００２】
【従来の技術】
廃棄物の処分場では地形を盆地形状に造成し、その盆地形状の凹面に遮水シート或は遮水性アスファルトコンクリート、粘土等の遮水工を敷き詰め、遮水工で防水を施した上に廃棄物埋立処分する方法を採っている。
然し乍ら、この構造の廃棄物処分場は野外であり、堆積した廃棄物は雨風にさらされ、廃棄物に触れた雨水が廃棄物と共に遮水工の上に溜まることになる。この雨水は上記したように浸出水と呼ばれ、廃棄物から溶け出した各種の物質を含むため、外部に漏れては危険である。
【０００３】
このような背景から、従来より廃棄物の最終処分場における遮水方法として各種の方法が考えられている。
図２を用いてその一例を説明する。地形を盆地形状に造成し、この盆地形状の凹面部分に二層に遮水シート１と２を被せる。二層の遮水シート１と２はその周縁を貼り合せ、二層の遮水シート１と２の間を密封する。これと共に、二層の遮水シート１と２の間にコロイド溶液３を注入する。コロイド溶液３とは例えばべントナイトのような膨潤性粘土を水に溶かしたペースト状の材質で構成される。コロイド溶液に圧力を印加する。この圧力は廃棄物４と共に存在する浸出水５の水圧より高い圧力に選定する。
【０００４】
このためには廃棄物の処分場に隣接して管６をほぼ鉛直姿勢に設置し、この管６と遮水シート１と２との間の密封部分を連通させ、管６からコロイド溶液３を注入する。管６内のコロイド溶液３の水位を浸出水５の水位より高い位置に保つことによりコロイド溶液３に浸出水５の水圧より高い水圧を加えることができる。管６内の水位を所定位置に維持することにより、コロイド溶液３に掛る圧力を常に浸出水５の水圧より高い状態に維持することができる。
この状態で仮に二層の遮水シート１と２の中の上面側の遮水シート２に孔が開いた場合はコロイド溶液３の圧力が浸出水５の圧力より高いため、コロイド溶液３は廃棄物４の埋立側に漏れ出す。このとき漏れ出した膨潤性粘土が孔の周縁に堆積し、終局的には孔を塞ぐことになる。この結果コロイド溶液３の漏れ出しは停止し、孔は自己修復される。
【０００５】
【発明が解決しようとする課題】
図２に示した従来の技術によれば上面側の遮水シート２が破れた場合は自己修復されるが、下面側の遮水シート１が破れた場合にはコロイド溶液３が外部に漏れ出す欠点がある。つまり、コロイド溶液３の流出は一時的であり、自己修復された時点では流出は停止するがわずかではあってもコロイド溶液の流出は抑えることはできないし、その流出による自然界に与える影響は未知であり、無害とは言えない。
更に、コロイド溶液は遮水シート１と２の間から流出する毎に、その流出量を管６内の水位の低下量から測定し、補充する必要がある。コロイド溶液は高価であるため、ランニングコストが大きくなる欠点もある。
この発明の目的は自然界に与える影響が皆無であり、更にランニングコストも安価にすることができる廃棄物処分場における遮水方法及びこの方法を用いた遮水装置を提案しようとするものである。
【０００６】
【課題を解決するための手段】
この発明の請求項１では盆地形状の地形の凹面部分に遮水シートを敷き詰め、この遮水シートの上に廃棄物を埋立処分する廃棄物処分場の遮水方法において、遮水シートを二重に敷き詰め、二重に敷き詰めた遮水シートの周縁を合体させて遮水シートの間を密封し、密封された遮水シートの間に清水を注入し、この清水の水位を凹面部分に溜まる浸出水の水位より高位置に維持して清水の水圧によって浸出水が遮水シートで覆われた凹面部分の外部に漏れ出すことを阻止する廃棄物処分場における遮水方法を提案する。
この発明の請求項２では盆地形状の地形の凹面部分を覆う第１遮水シートと、この第１遮水シートの上面に敷き詰めた透水性部材と、この透水性部材の上面を覆い周縁部において第１遮水シートと連結されて第１遮水シートとの間を密封する第２遮水シートと、第１遮水シートと第２シートとの間に凹面部分に溜まる浸出水の水圧より高い水圧の清水を注入する清水注入手段とによって構成した廃棄物処分場における遮水装置を提案する。
【０００７】
この発明の請求項３では廃棄物処分場における遮水装置において、清水注入手段は第１遮水シートと第２遮水シートの間の密封部分に連通し、ほぼ鉛直な姿勢に設置された管で構成され、この管の内部に清水を注入し清水の水位を凹面部分に溜まる浸出水の水位より上位に維持する廃棄物処分場における遮水装置を提案する。
この発明の請求項４では廃棄物処分場における遮水装置において、清水注入手段を構成する管に水位監視装置を設け、この水位監視装置により管の内部の清水の水位を監視する廃棄物処分場における遮水装置を提案する。
この発明の請求項５では廃棄物処分場における遮水装置の何れかにおいて、透水性部材は砂利又は砂で構成する廃棄物処分場における遮水装置を提案する。
【０００８】
作用
この発明によれば二重シートの間に浸出水の水圧より高い水圧の例えば井戸水のような清水を注入したから、仮に上側の遮水シートが破れて孔が開いても、廃棄物の堆積側に清水が漏れるだけで、浸出水が外部に漏れることはない。
更に、この発明の特徴としては下側の遮水シートが破れたとしても、この場合は清水が外部に漏れるだけで、清水が外部に漏れたとしても自然界には全く悪い影響を与えるおそれはない。
また、上側及び下側の遮水シートが同時に破れた場合には、廃棄物の堆積側及び下側の遮水シートの外側の双方に清水が漏れる。清水の水圧は浸出水の水圧より高いから、廃棄物の堆積側から浸出水が清水の流れに抗して逆流することはなく、従って、この場合も浸出水が外部に漏れることはない。
また、この発明の特徴とする点は清水は井戸等から汲み上げれば済むから、安価に補充を続けることができる。
【０００９】
【発明の実施の形態】
図１にこの発明による廃棄物処分場における遮水方法を用いた遮水装置の一実施例を示す。図２と対応する部分には同一符号を付して示す。
この発明では盆地形状に造成された地形の凹面部分に第１遮水シート１を被せ、この第１遮水シート１の上に透水性部材７を敷き詰める。透水性部材７は例えば砂利、砂等を用いることができるが、特に砂利、砂に限定されるものでなく、圧縮力に対して変形しない固体であればよい。
透水性部材７を敷き詰めた上に第２遮水シート２を被せる。第１遮水シート１と第２遮水シート２の周縁同士を結合し、第１遮水シート１と第２遮水シート２との間を密封する。これと共に、管６と第１遮水シート１及び第２遮水シート２との間の密封部分とを連通させ、清水注入手段を構成する管６から清水８を注入する。
【００１０】
第１遮水シート１と第２遮水シート２の間の密封部分に透水性部材７を配置したから、注入された清水８は第１遮水シートと第２遮水シート２との間に満遍なくいき渡り、第１遮水シート１と第２遮水シート２の間に均等に清水８の圧力を印加することができる。管６内の清水８の水位を浸出水５の水位より高い位置に維持することにより、第１遮水シート１と第２遮水シート２に浸出水５の水圧より高い清水８の圧力を与えることができる。このためには例えば管６の上部に水位監視装置として働く水圧計９を設置し、この水位計９により清水８の水位を監視し、水位が常に所定位置を維持するように清水８の注入量を制御するように構成する。
この状態で例えば上面側の第２遮水シート２に孔が開いたとすると、清水８の水圧は浸出水５の水圧より高いため、第２遮水シート２に開けられた孔を通じて清水８が廃棄物４の堆積側に漏れる。つまり、浸出水５が第２遮水シート２の外側に漏れ出ることは阻止される。
【００１１】
一方、下側の第１遮水シート１に孔が開いたが場合は、この場合は清水８が第１遮水シート１を通じて外部に漏れ出す。然し、漏れ出る液体は清水８であるため、化学的に無害であり自然界に悪い影響を与えることはない。
更に、第１遮水シート１と第２遮水シート２に同時に孔が開いた場合には、第１遮水シート１と第２遮水シート２の双方の孔を通じて第１遮水シート１の外部と、第２遮水シート２の孔を通じて廃棄物４の堆積側に清水８が漏れる。清水８の水圧は浸出水５の水圧より高く設定しているから、浸出水５が清水８の流れに逆流して外部に漏れることはない。従って、この場合にも自然界に悪い影響を与えることはない。
更にこの発明では清水８は井戸等から汲み上げれば安価に供給できるため、管６内の清水８の水位を定常状態に維持するためのコストは安価であり、廉価なランニングコストで安全を確保することができる利点が得られる。
【００１２】
【発明の効果】
以上説明したように、この発明によれば遮水シート１及び２に孔が開いたとしても、浸出水５が処分場の外に漏れ出ることは全くない。特に下側の遮水シート１に孔が開いたとしても処分場の外には清水８が漏れるだけであるから、外部に悪い影響を及ぼすおそれは全くなく、長期にわたって安全を確保することができる。
また、安全を確保するためのランニングコストも常に清水を消費するだけであるから、安価なランニングコストで済む利点もある。
【図面の簡単な説明】
【図１】この発明による廃棄物処分場における遮水方法及びこの遮水方法を用いた遮水装置の一実施例を説明するための断面図。
【図２】従来の技術を説明するための断面図。
【符号の説明】
１      第１遮水シート          ６      管
２      第２遮水シート          ７      透水性部材
４      廃棄物                  ８      清水
５      浸出水                  ９      水位計
【図１】
2004195422.tif 000003
【図２】
2004195422.tif 000004